(57)【要約】【課題】簡易な構成で遊技盤を内枠に対して容易に組み付けることが可能な遊技機を提供する。【解決手段】内枠３には、遊技盤用留め具１２の回転軸１２ｂが挿入される挿入孔１８と、当該挿入孔１８に挿入された回転軸１２ｂを軸方向及び径方向に位置決めする係止手段とを備えた取付部１５が一体的に設けられ、遊技盤用留め具１２は、内枠３の取付部１５に着脱可能に組み付けられる。【選択図】図６
2010136813.tif 000002
【特許請求の範囲】
【請求項１】
内枠に形成された遊技盤保持部に遊技盤を保持する係止位置と遊技盤を着脱可能にする退避位置との間で回転可能に設けられた遊技盤留め具を備えた遊技機であって、
前記内枠には、前記遊技盤留め具の回転軸が挿入される挿入孔と、当該挿入孔内に設けられた係止部を撓ませて挿入された回転軸を軸方向及び径方向に位置決めする係止手段とを備えた取付部が一体的に設けられ、前記遊技盤留め具は、前記内枠の取付部に着脱可能に組み付けられることを特徴とする遊技機。
【請求項２】
前記遊技盤留め具は、前記遊技盤の位置を規制する留め部と、当該留め部の回転軸と、当該回転軸の軸端に形成された径大な台座部が一体的に形成されており、
前記挿入孔は、前記台座部を挿入する第１開口部と回転軸のみが挿入可能な第２開口部が連設されており、前記台座部を第１開口部へ挿入する際に前記係止部を軸方向に撓ませて挿入し、前記回転軸を第２開口部へ嵌め込むようにスライドさせることにより、前記係止部が弾性復帰することで前記台座部が軸方向に抜け止めされると共に前記係止部と第２開口部壁面により回転軸の径方向の移動が規制されて組み付けられる請求項１記載の遊技機。
【請求項３】
前記係止手段は、前記内枠とは別体で構成されたベース体に一体的に設けられ、前記ベース体は前記遊技盤留め具の組み付け方向と反対方向から組み付けられて前記取付部が形成される請求項１又は２に記載の遊技機。
【請求項４】
前記挿入孔周辺部には、前記退避位置にある遊技盤留め具を支持する支持部が設けられている請求項１乃至請求項３のいずれか１項に記載の遊技機。
【請求項５】
前記遊技盤には前記遊技盤留め具と当接するプレートが一体的に設けられており、該プレートには、係止位置にある前記遊技盤留め具を位置決めする位置決め部が設けられている請求項１乃至請求項４のいずれか１項に記載の遊技機。
【請求項６】
前記プレートには、係止位置にある前記遊技盤留め具が第２開口部より第１開口部に向けて移動するのを防ぐストッパー部が形成されている請求項５記載の遊技機。
【請求項７】
前記プレートは、遊技盤外形より外側に延設された延設部が形成されており、該延設部は前記内枠と係止位置にある前記遊技盤留め具とで挟み込まれて遊技盤が保持されている請求項５又は６記載の遊技機。
【発明の詳細な説明】
【技術分野】
【０００１】
本発明は、遊技機に関する。
【背景技術】
【０００２】
パチンコ機などの遊技機には、矩形状の外枠に対して内枠が開閉可能に組み付けられ、該内枠には前面枠が開閉可能に設けられている。また、内枠には遊技盤が着脱可能に組み付けられている。
【０００３】
遊技盤を内枠に組み付ける際に、内枠を開放することなく、内枠前面側より工具を用いることなく施錠装置を指先操作のみで施錠して遊技盤を内枠に組み付けることが可能な遊技機が提案されている。
【０００４】
具体的には前枠（前面枠に相当）裏側に位置するセット保持枠（内枠に相当）のセット口内に設けられた保持部へ前枠前面側から遊技盤を起立状態で保持させ、当該保持部へ予め回転かつ着脱可能に支持された施錠具を指先操作で回転させて遊技盤を施錠具の係合突起と保持部の保持片との間に挟みこんで４箇所で施錠するようになっている（特許文献１参照）。
【特許文献１】特開２０００−２８８２１５号公報
【発明の開示】
【発明が解決しようとする課題】
【０００５】
上述した特許文献１の遊技機においては、セット保持枠に保持部が一体的に形成され、該保持部に対して施錠具を組み付けるための軸孔、施錠具の回動支盤を嵌合する嵌合座部、施錠具の係合突起を係止する規制部などが一体的に形成されている。また、遊技盤の係合部には、係合保持部材がビス止め等により取り付けられている。係合保持部材には係合凹部や案内斜面が形成されており、遊技盤側にもこれに対応した形態が形成されている。このように、セット保持枠の構造や遊技盤の形態が複雑であるため、成形する場合に金型構造が複雑になり歩留まりの低下等を招来し易く、製造コストが増大するおそれがあった。
また、施錠具をセット保持枠の保持部に取り付ける際に、回転軸を撓ませるように軸孔内に押し込む必要があるため、回転軸に過度の負荷が加わり、変形したり、折れてしまったり或いは亀裂が入ったりするおそれがあり耐久性や信頼性が低下する。
また、施錠具の係合突起は回転動作により案内斜面に沿って弾性変形しながら開錠位置と施錠位置に設けられた係合凹部に嵌め込まれるため、施錠具の係合突起に負荷が加わる。
【０００６】
本発明の目的は、上記従来技術の課題を解決し、簡易な構成で遊技盤を内枠に対して容易に組み付けることが可能な遊技機を提供することにある。
【課題を解決するための手段】
【０００７】
本発明は上記目的を達成するため、次の構成を備えることを特徴とする。
内枠に形成された遊技盤保持部に遊技盤を保持する係止位置と遊技盤を着脱可能にする退避位置との間で回転可能に設けられた遊技盤留め具を備えた遊技機であって、前記内枠には、前記遊技盤留め具の回転軸が挿入される挿入孔と、当該挿入孔内に設けられた係止部を撓ませて挿入された回転軸を軸方向及び径方向に位置決めする係止手段とを備えた取付部が一体的に設けられ、前記遊技盤留め具は、前記内枠の取付部に着脱可能に組み付けられることを特徴とする。
【０００８】
また、前記遊技盤留め具は、前記遊技盤の位置を規制する留め部と、当該留め部の回転軸と、当該回転軸の軸端に形成された径大な台座部が一体的に形成されており、前記挿入孔は、前記台座部を挿入する第１開口部と回転軸のみが挿入可能な第２開口部が連設されており、前記台座部を第１開口部へ挿入する際に前記係止部を軸方向に撓ませて挿入し、前記回転軸を第２開口部へ嵌め込むようにスライドさせることにより、前記係止部が弾性復帰することで前記台座部が軸方向に抜け止めされると共に前記係止部と第２開口部壁面により回転軸の径方向の移動が規制されて組み付けられることを特徴とする。
【０００９】
また、前記係止手段は、前記内枠とは別体で構成されたベース体に一体的に設けられ、前記ベース体は前記遊技盤留め具の組み付け方向と反対方向から組み付けられて前記取付部が形成されることを特徴とする。
【００１０】
また、前記挿入孔周辺部には、前記退避位置にある遊技盤留め具を支持する支持部が設けられていることを特徴とする。
【００１１】
また、前記遊技盤には前記遊技盤留め具と当接するプレートが一体的に設けられており、該プレートには、係止位置にある前記遊技盤留め具を位置決めする位置決め部が設けられていることを特徴とする。
【００１２】
また、前記プレートには、係止位置にある前記遊技盤留め具が第２開口部より第１開口部に向けて移動するのを防ぐストッパー部が形成されていることを特徴とする。
【００１３】
また、前記プレートは、遊技盤外形より外側に延設された延設部が形成されており、該延設部は前記内枠と係止位置にある前記遊技盤留め具とで挟み込まれて遊技盤が保持されていることを特徴とする。
【発明の効果】
【００１４】
上述した遊技機を用いれば、遊技盤留め具の回転軸が挿入される挿入孔と、当該挿入孔内に設けられた係止部を撓ませて挿入された回転軸を軸方向及び径方向に位置決めする係止手段とを備えた取付部が内枠に一体的に設けられているため、部品点数が少なく、内枠を成形する金型構造も簡略化できるので歩留まりが向上し、製造コストを低減できる。
また、内枠に遊技盤留め具を組み付ける際、弾性変形させる（撓ませる）係止手段を内枠に設けたので、組み付けの際の遊技盤留め具に対する負荷が軽減される。よって、長期にわたり遊技盤を確実に保持することができる。
また、遊技盤留め具をビス等の締結具を使わずに内枠に組み付けるだけで遊技盤を保持できるので、遊技盤取付構造を簡略化することができる。
また、遊技盤の種類を変更する場合には、内枠はそのままで変更後の遊技盤に対応した遊技盤留め具のみを交換すれば足りる。よって、遊技機の汎用性が増大し、機種変更に伴う部品コストも削減できる。
【００１５】
また、遊技盤留め具は、遊技盤の位置を規制する留め部と、当該留め部の回転軸と、当該回転軸の軸端に形成された径大な台座部が一体的に形成されており、台座部を第１開口部へ挿入する際に係止部を軸方向に撓ませて挿入し、回転軸を第２開口部へ嵌めむようにスライドさせることにより、係止部が弾性復帰することで台座部が軸方向に抜け止めされると共に係止部と第２開口部壁面により回転軸の径方向の移動が規制される。これにより、遊技盤留め具をビス等の締結具を使わずに内枠に対して遊技盤留め具及び遊技盤を前面側より組み付けることができ、遊技盤留め具の内枠に対する組み付け作業を簡素化できるとともに、遊技盤留め具を内枠に対して所定位置で確実に回転自在に組み付けることができる。よって、機種変更に伴う遊技盤の交換が容易に行なえる。
【００１６】
また、係止手段は、内枠とは別体で構成されたベース体に一体的に設けられ、ベース体は遊技盤留め具の組み付け方向と反対方向から組み付けられて取付部が形成される。したがって、内枠を開放しなくても遊技盤と遊技盤留め具は、内枠前面側より組み付けることができる。また、内枠を開放しないと後方側からベース体が取り外せないので、メンテナンスの際に手順を誤ってベース体を内枠から先に外すことによる遊技盤の落下を防ぐことができる。
【００１７】
また、挿入孔周辺部には、退避位置にある遊技盤留め具を支持する支持部が設けられていると、遊技盤留め具は退避位置に安定しているので、遊技盤の組み付け時に遊技盤留め具を気にすることなく組み付けることができ、組み付け作業が効率よく行なえる。
【００１８】
遊技盤には遊技盤留め具と当接するプレートが一体的に設けられていると、遊技盤の大きさの違いをプレートにて吸収して遊技盤の大きさを共通化することができ汎用性が高まる。また、プレートには、係止位置にある遊技盤留め具を位置決めする位置決め部が設けられていると、遊技盤に一体に組み付けられたプレートを通じて確実に位置決めすることができる。
【００１９】
また、プレートには、係止位置にある遊技盤留め具が第２開口部より第１開口部に向けて移動するのを防ぐストッパー部が形成されていると、遊技盤留め具が係止位置で外部応力等により移動して外れるのを防ぐことができる。
【００２０】
また、プレートは、遊技盤外形より外側に延設された延設部が形成されており、該延設部は内枠と係止位置にある遊技盤留め具とで挟み込まれて遊技盤が保持されていると、遊技盤留め具と内枠のみならずプレートと内枠とで遊技盤を保持するので、遊技盤の反り等による組み付け不良を解消できる。
【００２１】
更には、上述した遊技盤組付け構造を用いて遊技盤が内枠に着脱可能に設けられていると、遊技盤の内枠に対する着脱作業が簡略に確実かつ容易に行なうことができる。また、内枠の構造も簡素化できるので製造コストも低減できる。
【発明を実施するための最良の形態】
【００２２】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００２３】
先ずパチンコ機１の概略構成について説明すると、パチンコ機１の外形をなす矩形状の外枠２の側部に対してヒンジ（図示せず）により内枠３が開閉可能に取り付けられ、該内枠３の側部に対してヒンジ４により前面枠（ガラス枠）５が開閉可能に取り付けられている。
【００２４】
図２において、内枠３の前面側には遊技盤６が組み付けられている。また遊技盤６の下方には遊技領域へ向かって遊技球を発射する球発射装置７が組み付けられている。また、遊技盤６の中央部には、図柄表示装置（液晶表示装置；図示せず）が設けられている。
【００２５】
また、図１において、前面枠５の下方には貸球や賞球等の遊技球を一時的に貯留し、該遊技球を球発射装置７（図２参照）へ誘導する球受け皿８が組み付けられている。球受け皿８の前面には貯留した遊技球を図示しないドル箱に排出させるためシャッターを開閉する球抜きレバー８ａが設けられている。球受け皿８の右側には、球発射装置７によって遊技領域へ発射される遊技球の発射力を調節するための発射ハンドル９が設けられている。内枠３の背面側上部には貯留タンク１０が設けられ、貯留タンク１０にはパチンコ機１が配置されたホールの島から遊技球が供給される。
【００２６】
図３において、内枠３のうち左縦枠３ａには枠内に向かって基準壁（基準部）１１が２箇所で突設されている。また、右縦枠３ｂ及び下横枠３ｃには遊技盤止め具１２が組み付けられている。遊技盤留め具１２は、図４に示す遊技盤前面が突き当てられて係止する係止位置と図３に示す遊技盤前面より退避する退避位置との間で回転可能に組み付けられている。
【００２７】
図４において、遊技盤６は、内枠３の前方側から左縦枠３ａに左側縁部を突き当て、右側縁部を内枠方向へ回転させながら遊技盤保持部Ｈに収容されるように組み付けられ、後述する遊技盤付勢手段Ｐによって基準壁１１に遊技盤前面６ａ及び遊技盤留め具１２に後述するプレート１３が各々押し当てられて、内枠３（遊技盤保持部Ｈ；図３参照）に保持される。
【００２８】
図５（ａ）（ｂ）において、遊技盤６の前面６ａに設けられたレール部６ｃより外側の右側上下コーナー部にはプレート１３が前面よりビス止めされて固定されている。プレート１３には、遊技盤６を内枠３に組み付ける際に退避位置にある遊技盤留め具１２（図３参照）と干渉せずに組み付けられる切欠き部１３ａが形成されている。遊技盤止め具１２を係止位置へ回転するとプレート１３の前面と当接するようになっている。（図４参照）。
【００２９】
図６において、遊技盤留め具１２は、遊技盤６の前面位置を規制するＬ字状をした留め部１２ａと、当該留め部１２ａのコーナー部後面側に設けられた回転軸１２ｂと、当該回転軸１２ｂの軸端に形成された径大な台座部１２ｃが一体的に形成されている。
【００３０】
また、図６において、内枠３には、遊技盤留め具１２の回転軸１２ｂが挿入される挿入孔１８と、当該挿入孔１８に挿入された回転軸１２ｂを軸方向及び径方向に位置決めする係止手段とを備えた取付部１５が一体的に設けられている。本実施の形態において、係止手段はベース体１４とは別体に形成されている。具体的には、遊技盤保持部Ｈ（右縦枠３ｂ及び下横枠３ｃ）には、前面側及び後面側にわたって開口する挿入孔１８を有する取付部１５が各々形成されている。取付部１５の前面側には、台座部１２ｃを挿入可能な第１開口部１５ａと回転軸１２ｂのみが挿入可能な第２開口部１５ｂが連設されている。取付部１５の前面側側壁部には、係止孔１５ｃが対向する位置に各々形成されている。各係止孔１５ｃには、ベース体１４の両側に設けられたフック部１４ａが各々係止することで組み付けられるようになっている。また、取付部１５の前面側には支持部１５ｄが突設されている。この支持部１５ｄは、退避位置にある遊技盤留め具１２（図３参照）の留め部１２ａを支持するようになっている。
また、ベース体１４は、開口部を有する筐体状に形成され、両側面にフック部１４ａが各々形成されている。ベース体１４は挿入孔１８に後方より挿入されフック部１４ａが取付部１５の前面側壁面部に形成された係止孔１５ｃに各々係止することにより組み付けられる。ベース体１４は、後述するように遊技盤留め具１２の軸方向及び径方向の位置決めを行なう。
【００３１】
ベース体１４のベース面部１４ｂにはコ字状のスリット１４ｃが形成され、該スリット１４ｃに囲まれて係止部１４ｄ（係止手段）が一体的に形成されている。係止部１４ｄの先端部はベース面部１４ｂより隆起した突起部１４ｅが形成されている。ベース面部１４ｂ及び係止部１４ｄは、回転軸１２ｂの軸端に設けられた台座部１２ｃの軸方向の位置を規制すると共に突起部１４ｅが台座部１２ｃの径方向の移動を規制するようになっている。
【００３２】
ここで、図７（ａ）〜図７（ｆ）示す断面図及び平面図を参照して、取付部１５に対するベース体１４及び遊技盤留め具１２の組み付け手順を説明する。
図７（ａ）において、取付部１５には挿入孔１８の後方よりベース体１４が挿入される。ベース体１４は、挿入孔１８に内枠後面側より挿入されるとフック部１４ａが壁面に押されたまま挿入され、図７（ｂ）に示すように係止孔１５ｃに到達すると弾発して係止する。ベース面部１４ｂ及び係止部１４ｄは、挿入孔１８内で第１開口部１５ａ，第２開口部１５ｂと対向するように組み付けられている。
【００３３】
次に、遊技盤留め具１２を取付部１５に挿入孔１８の前方より組み付ける。具体的には、図７（ｃ）において、取付部１５に挿入孔１８の前方より遊技盤留め具１２を組み付ける。具体的には、回転軸１２ｂの軸端に設けられた台座部１２ｃを先頭にして第１開口部１５ａへ挿入し、台座部１２ｃにより突起部１４ｅを押し下げることで係止部１４ｄを撓ませて挿入する。（図７（ｅ）参照）。次いで、図７（ｄ）に示すように台座部１２ｃを回転軸１２ｂが第２開口部１５ｂへ嵌め込まれるようにスライドさせる。このとき、突起部１４ｅを抑えていた台座部１２ｃが外れるため係止部１４ｄが弾性復帰して台座部１２ｃの端面に突起部１４ｅが当接する（図７（ｆ）参照）。また、留め部１２ａは、取付部１５の前面に設けられた支持部１５ｄに支持される。
【００３４】
以上のように遊技盤留め具１２は、台座部１２ｃが軸方向に取付部１５とベース面部１４ｂに挟み込まれて抜け止めされると共に係止部１４ｄ先端の突起部１４ｅと第２開口部１５ｂの壁面により回転軸１２ｂの径方向の移動が規制されたまま回転可能に組み付けられる。
このように、遊技盤留め具１２をビス等の締結具を使わずに内枠３に対して遊技盤留め具１２及び遊技盤６を前面側より組み付けることができるので、遊技盤留め具１２の内枠３に対する組み付け作業を簡素化できるとともに、メンテナンス作業が行ない易くなる。
【００３５】
また、遊技盤留め具１２を取付部１５から取り外す際には、遊技盤６が遊技盤保持部Ｈにない状態で、遊技盤留め具１２を係止位置（図８（ｂ）参照）に移動させ、正面視で係止部１４ｄが視認できる状態にし、係止部１４ｄを撓ませながら、遊技盤留め具１２を第２開口部１５ｂから第１開口部１５ａへ移動させる。その後、遊技盤留め具１２を第１開口部１５ａの手前側（係止部１４ｄと反対側）に移動させることで、遊技盤留め具１２が取り外せる。
【００３６】
また、図８（ａ）（ｂ）において、遊技盤６に組み付けられたプレート１３には、係止位置にある遊技盤留め具１２の留め部１２ａを位置決めする位置決め部１３ｂ，１３ｃが設けられている。
【００３７】
また、遊技盤留め具１２の留め部１２ａの裏面（プレート１３の対向面）には、支持部１５ｄ又は位置決め部１３ｂと係止可能な突条１２ｄ，１２ｄ及び位置決め部１３ｃと係止可能な突条１２ｅ，１２ｅが各々突設されている。
【００３８】
図８（ａ）の遊技盤留め具１２が退避位置にあるとき、突条１２ｄ，１２ｄは支持部１５ｄの両側位置にあり、遊技盤留め具１２が自由に回転するのを規制している。突条１２ｅ，１２ｅは、フリーな状態にある。
【００３９】
また、図８（ｂ）において、遊技盤留め具１２が係止位置にあるとき、突条１２ｄ，１２ｄは位置決め部１３ｂの両側位置にあり突条１２ｅ，１２ｅは位置決め部１３ｃの両側位置にあり、遊技盤留め具１２が自由に回転するのを規制している。留め部１２ａに突条１２ｄ，１２ｄ及び突条１２ｅ，１２ｅが形成されていることにより、退避位置においても係止位置においても遊技盤留め具１２の回り止めを確実に行なうことができ、遊技盤６を中途半端な位置で留めることにより引き起こすガタつき等の不具合を未然に防ぐことができる。また、遊技盤留め具１２を交換しても突条１２ｄ，１２ｄ及び突条１２ｅ，１２ｅの位置を共通にしておけば、同様に回り止めが行なえる。
【００４０】
また、図９（ａ）（ｂ）に、遊技盤留め具１２の回り止めの他の構成を示す。
図９（ａ）（ｂ）において、プレート１３には、係止位置にある遊技盤留め具１２が第２開口部１５ｂより第１開口部１５ａに向けてスライドするのを防ぐストッパー部１７が形成されている。留め部１２ａの裏面（プレート１３の対向面）には、ストッパー部１７と対向する突条１２ｆが設けられていてもよい。この場合、遊技盤留め具１２が係止位置にあるとき、突条１２ｆがストッパー部１７に突き当たることで、回転軸１２ｂが第２開口部１５ｂから第１開口部１５ａに向かって移動するのを防いでいる。また、図９（ｂ）において、突条１２ｆとストッパー部１７は、遊技盤留め具１２とプレート１３が互いに対向する留め部１２ａ、プレート１３の対向面から垂直に突設されているのが望ましい。これにより、遊技盤留め具１２が係止位置にあるとき、第２開口部１５ｂから第１開口部１５ａへ移動させようとする力が働いても、突条１２ｆがストッパー部１７を乗り越えることができず、遊技盤６の留め位置を確実に保持することができる。
【００４１】
よって、例えば係止部１４ｄを外部から故意に撓ませることで、突起部１４ｅと台座部１２ｃとの係止が一時的に外れても、突条１２ｆとストッパー部１７が係止するので遊技盤留め具１２を係止位置からスライドさせようとする不正行為を防止することができる。
【００４２】
次に、図１０（ａ）（ｂ）において遊技盤留め具１２の取付部１５の他例を示す。上述した実施形態では、ベース体１４は、内枠３と別体で構成したが、取付部１５に形成された挿入孔１８内に一体に形成されていてもよい。図１０（ａ）において遊技盤留め具１２の構成は、図８（ａ）と同様である。
【００４３】
図１０（ｂ）において、取付部１５に設けられた挿入孔１８内に係止部１５ｆ（係止手段）が片持ち状に一体成形されている。係止部１５ｆは第１開口部１５ａ及びこれに連なる第２開口部１５ｂに対応して突設された底板にスリット１５ｅが形成されて弾性変形可能に設けられている。係止部１５ｆの所定位置には、突起部１５ｇが形成されており、該突起部１５ｇは回転軸１２ｂが第２開口部１５ｂに嵌まり込んだ状態で、台座部１２ｃの外周面に係止するように設けられる。また、係止部１５ｆの突起部１５ｇより先端側には軸受け部１５ｈが形成されている。軸受け部１５ｈは、遊技盤留め具１２の組み付けが完了したとき、台座部１２ｃの後面側を支持する。
上記構成によれば、内枠３を成形する際に、挿入孔１８内に係止部１５ｅを備えた取付部１５も一体成形されるので、部品点数が少なく、組み立て工程も簡略化できる。
【００４４】
ここで、遊技盤６を内枠３の遊技盤保持部Ｈに組み付ける際に、前面基準で組み付けられる構造について図３及び図１１乃至図１３を参照して説明する。
図３において遊技盤保持部Ｈには、遊技盤６の前後方向の基準位置を定める基準部となる基準壁１１が縦枠３ａに上下２箇所に設けられている。また、遊技盤保持部Ｈには、遊技盤６を基準壁１１へ常時押し当てるように付勢する遊技盤付勢手段Ｐが、上横枠３ｄ及び下横枠３ｃに沿って、４箇所に設けられている。遊技盤保持部Ｈに保持される遊技盤６は、遊技盤付勢手段Ｐに付勢された可動体１９に当接したまま組み付けられる。尚、遊技盤付勢手段Ｐは、遊技盤保持部Ｈに保持される遊技盤６の４隅近傍に設けられていると、遊技盤６を前方に向けてバランスよく付勢するうえで好ましい。また、遊技盤付勢手段Ｐは基準壁１１及び遊技盤留め具１２の周辺部に設けることにより、確実に遊技盤６の基準位置が定められる。
【００４５】
内枠３に設けられる遊技盤保持部Ｈは、遊技盤６の左右方向を保持する一対の縦枠３ａ，３ｂと遊技盤６の上下方向を保持する一対の横枠３ｄ，３ｃと、遊技盤６の後面側を受ける遊技盤受け部３ｅが各々形成されている。遊技盤受け部３ｅには、遊技盤付勢手段Ｐ及びこれに付勢された可動体１９が設けられる取着部２０が設けられている。可動体１９は遊技盤付勢手段Ｐに付勢されて取着部２０より遊技盤受け部３ｅの前方へ突出して支持されている（図１３（ａ）参照）。
【００４６】
図１１において可動体１９は、可動軸２１の前端に回転可能に支持される。可動軸２１の前端には、前方に開口したコ字状の可動体受け部２２が一体的に設けられる。この可動体受け部２２の両側起立部２２ａには軸孔２２ｂが形成されている。可動体受け部２２の両側起立部２２ａ間に、可動体１９が組み付けられる。可動体１９には、例えば遊技盤６の後面６ｂに当接して転がり動く回転体や遊技盤６の後面６ｂに当接し滑り動く移動体などが設けられる。本実施例では、耐摩耗性を有する樹脂ローラ（ポリアセタール樹脂；商品名ジュラコン等）が用いられる。可動体１９は、起立部２２ａに設けられた軸孔２２ｂには一端側にストッパー２２ｄが設けられた回転軸２２ｃが挿入され、可動体１９の軸孔１９ａを挿通して他端側に止め輪２２ｅが嵌め込まれて抜け止めされる。
【００４７】
図１１において、可動軸２１の周囲にはコイルばね２３が嵌め込まれ、コイルばね２３は可動体受け部２２と取着部２０の後壁部２０ａとの間に弾装されている（図１３（ａ）参照）。可動軸２１の後方端部は取着部２０の後壁部２０ａに設けられた軸孔２０ｂを通過して後方側へ延出しており、止め輪２０ｃが嵌め込まれて抜け止めされる（図１３（ａ）参照）。
【００４８】
上述した可動体１９やコイルばね２３を経時劣化や動作不具合により部品交換を行なう場合には、止め輪２２ｅを外し、可動体受け部２２及びコイルばね２３を手前側に引き抜くことにより交換することができる。
【００４９】
可動体１９として回転体を用いることにより、遊技盤６の着脱に際して遊技盤６の当接部への負担を和らげ、遊技盤６を組み付ける際に生じる遊技盤６と可動体１９との摩擦・衝突による可動体付勢手段Ｐのねじれや歪み等の不具合をより軽減することができる。
【００５０】
尚、回転体は、円筒、円柱、円環体や球体などの外周面が曲面に形成されているのが望ましく、回転体の回転軸２２ｃは縦枠３ａ，３ｂと平行となる向き（遊技盤６の基準壁１１を中心とした回転軌跡となる回転面に対して直交する向き）に設けられるのが好ましい。回転体が遊技盤６に当接すると当該回転体が遊技盤６の左右方向に転がり易く、コイルばね２３に作用する応力ひずみを回転体が転がり動くことで有効に逃すことができるからである。
これにより遊技盤６を遊技盤保持部Ｈに組み付ける際に回転体の転がり方向を気にすることなく組み付けることができるともに、遊技盤組み付け時の遊技盤付勢手段Ｐ（コイルばね２３）への負荷を軽減でき、パチンコ機１の耐久性の向上も図れる。
【００５１】
図１３（ａ）において、遊技盤６が内枠３に組み付けられる前は、可動体１９は、コイルばね２３の付勢により遊技盤６の後面６ｂを受ける遊技盤受け部３ｅより前方側へ突出した位置にある（図１２（ａ）参照）。遊技盤留め具１２は、取付部１５の退避位置に組み付けられており、留め部１２ａは支持部１５ｄに支持されている。
【００５２】
また、図１３（ｂ）において、遊技盤６を内枠３に組み付けて遊技盤留め具１２を回転させて係止位置で固定すると、遊技盤６の後面６ｂを遊技盤受け部３ｅにより受けた状態となる。このとき、可動体１９は、遊技盤６の後面６ｂに当接したままコイルばね２３が押し縮められて取着部２０内に退避している（図１２（ｂ）参照）。このコイルばね２３の圧縮により遊技盤６は、常時前面側に押圧された状態となり、遊技盤６の前面６ａが基準壁１１の基準面１１ａに突き当て当られ、かつプレート１３の前面が、遊技盤留め具１２の留め部１２ａに突き当てられて前面側基準で組み付けられる。
【００５３】
このように、遊技盤付勢手段Ｐ及びこれに支持された可動体１９が取着部２０内に収納可能に設けられているので、遊技盤６を遊技盤保持部Ｈへ着脱する際に他の部品と干渉することがなく、可動体１９のみが遊技盤６と当接して基準壁１１へ向けて確実に押し当てることができる。
また、可動体１９は遊技盤付勢手段Ｐに常時付勢されて取着部２０より遊技盤受け部３ｅの前方へ突出して支持されているので、遊技盤６を組み付ける際に可動体１９が遊技盤後面に当接しながら一旦取着部２０へ押し戻されて遊技盤６を遊技盤保持部Ｈへ組み付ける際のガイドを行い、遊技盤６が遊技盤保持部Ｈへ組み付けられると前方へ向けて付勢して位置決めを行う。このように、可動体１９が遊技盤組み付け作業の補助的役割を担うので、遊技盤６の組付け作業が容易となる。
【００５４】
次に、遊技盤６を内枠３に組み付ける組み付け作業の一例について説明する。
図２において、内枠３より前面枠５を開放した状態で、図３の左縦枠３ａに形成された基準壁１１の基準面１１ａ（図１２（ａ）（ｂ）参照）と内枠３の遊技盤受け部３ｅとの間に遊技盤６の左側縁部を挿入して右側縁部を右縦枠３ｂに重ね合わせる。
【００５５】
そして、図４に示すように、遊技盤留め具１２を退避位置（図３参照）から略９０℃反時計回り方向に回転させて、プレート１３に重ね合わせる。このとき、図８（ｂ）において、プレート１３は、遊技盤外形より外側に延設された延設部１３ｄが、取付部１５と係止位置にある遊技盤留め具１２とで挟み込まれて遊技盤６が保持されている。また、留め部１２ａがＬ字状をしていると、係止位置でプレート１３に当接箇所が２箇所あるため、遊技盤６の組付け状態の確実性が増す。
【００５６】
また、図１３（ｂ）において、遊技盤６は内枠３に組み付けられる際に、一旦は遊技盤受け部３ｅに押し当てられるが、４箇所に設けられた遊技盤付勢手段Ｐによって、均等に前方へ押圧される。即ち、可動体１９を介してコイルばね２３に付勢されて遊技盤６の前面６ａが、基準壁１１の基準面１１ａに突き当て当られ、かつプレート１３の前面が、遊技盤留め具１２の留め部１２ａに突き当てられて前面側基準で組み付けられる（図１２（ｂ）参照）。
【００５７】
以上のように、遊技盤６は、コイルばね２３に付勢された可動体１９に当接したまま基準壁１１に押し当てられて組み付けられているので、遊技盤６を組み付ける際に生じる遊技盤６とコイルばね２３との直接摩擦若しくは衝突することによる当該コイルばね２３のねじれや歪み等と不具合を軽減することができる。また、遊技盤６の着脱に際して遊技盤６がコイルばね２３と擦れて傷ついたり応力集中によりへこみが生じたりすることはなく遊技盤６の負担を軽減することができる。
したがって、遊技盤保持部Ｈに組み付けられる遊技盤６の組み付け精度を維持することができる（図４参照）。
【００５８】
また、遊技盤保持部Ｈの一方の縦枠３ａに基準壁１１が形成されているので、内枠３と一体成形することができ、部品点数を削減することができる。また、他方の縦枠３ｂに組み付けられる遊技盤留め具１２も基準部として用いられるので、遊技盤保持部Ｈにおいて遊技盤付勢手段Ｐに付勢された可動体１９によって遊技盤後面が押圧されたまま、遊技盤前面が基準壁１１と遊技盤留め具１２に各々突き当てられて遊技盤６を前面基準で確実に位置決めして保持することができる。
【００５９】
また、複数の可動体１９により遊技盤６の後面６ｂを押圧することで、遊技盤６を均等に前面基準で押し当てることができる。よって、遊技盤６の着脱によって前面位置がずれたり傾いたりすることがなく、発射装置の遊技球発射位置と遊技盤前面位置を確実に整合させることができる。したがって、パチンコ機１においてファール球等の遊技に関する不具合が解消される。
【００６０】
次に、遊技盤付勢手段Ｐ及び可動体１９が組み付けられる取着部２０の他例について図１４を参照して説明する。
図１３においては、内枠３に形成された取着部２０に遊技盤付勢手段Ｐ及び可動体１９が各々抜け止めされて組み付けられていた。本実施例は、図１４に示すように、取着部２０が内枠３とは別体に設けられ、内枠３に対して着脱可能なユニット構成されている。
【００６１】
図１４（ａ）において、取着部２０Ａは、平面視コ字状のケース体２０ｄに形成されている。このケース２０ｄに設けられた凹部２０ｅに遊技盤付勢手段Ｐ及び可動体１９が設けられている。可動体１９は、可動体受け部２２に回転可能に支持され可動軸２１が凹部２０ｅの底部２０ｆを挿通して他端側に止め輪２０ｃが嵌め込まれて抜け止めされる。ケース体２０ｄの凹部２０ｅを形成する側壁部２０ｈの外側面には係止溝２０ｉが各々形成されている。係止溝２０ｉの深さは側壁部２０ｈの凹部開口側が深く凹部底部側に向って漸進浅くなるように形成されている。
【００６２】
また、図１４（ｂ）において、内枠３の遊技盤受け部３ｅには、可動体１９を前面側に突出させる取着孔２４（図１４（ａ）参照）が設けられている。可動軸２１の周囲には、コイルばね２３が嵌め込まれている。コイルばね２３は、可動体受け部２２と底部２０ｆとの間に弾装され、取着部２０Ａが内枠３に組み付けられた状態では、コイルばね２３の付勢により可動体１９は取着孔２４から遊技盤受け部３ｅより前面側に突出するように配置される。
【００６３】
図１４（ａ）において、取着孔２４の開口縁部には先端に内向きの嘴状の爪部３ｇを有する係止フック３ｆが背面側に向けて対向する位置に起立して形成されている。図１４（ｂ）において、ケース本体２０ｄを内枠背面側より取着孔２４へ嵌め込む際に、両側壁部２０ｈどうしを近接するように変形させて挿入し、該変形させた両側壁部２０ｈが両側へ弾性復帰することで係止フック３ｆの爪部３ｇが係止溝２０ｉへ係止することにより、取着孔２４の前後方向に抜け止めされて組み付けられる。
【００６４】
パチンコ機１の継続使用により可動体１９やコイルばね２３が経時劣化し、これらの部品を交換する場合には、ケース本体２０ｄの両側壁部２０ｈどうしを近接するよう変形させて係止溝２０ｉと係止フック３ｆの爪部３ｇとの係止を解除したまま、ケース本体２０ｄを挿入孔２４の背面側へ引き抜くことにより内枠より取り外して、ユニットごと交換することができる。これにより、可動体１９やコイルばね２３の交換作業が容易になる。
尚、上記実施形態では、ケース本体２０ｄを弾性変形させ、内枠３に対して着脱可能に組み付けるようにしたが、係止フック３ｆを弾性変形させて着脱可能に組み付けられるようにしてもよい。
また、上記実施形態では、ケース本体２０ｄと係止フック３ｆを係止して、取着部２０Ａが内枠３へ固定するようにしたが、内枠３とビス等の締結部材により固定するようにしてもよい。
【００６５】
上述した各実施形態では、可動体１９は、可動体受け部２２に支持された回転軸２２ｃを中心に回転可能に支持されていたが、回転軸２２ｃが内枠３（例えば下横枠３ｃ及び上横枠３ｄ）に設けられた溝部若しくはレール部内を長手方向へ移動可能に支持されていてもよい。この場合、遊技盤付勢手段Ｐは、例えば回転軸２２ｃを溝部若しくはレール部内で内枠前面側に向かって付勢するのが好ましい。
また、遊技機の一例としてパチンコ機について説明したが、他の遊技機、例えば雀球遊技機やアレンジボール遊技機などに適用してもよい。
【図面の簡単な説明】
【００６６】
【図１】パチンコ機の斜視図である。
【図２】図１のパチンコ機の前面枠を開放した状態の斜視図である。
【図３】内枠から遊技盤を外した状態の正面図である。
【図４】内枠に遊技盤を組み付けた状態の正面図である。
【図５】遊技盤の一部分解斜視図及び斜視図である。
【図６】内枠の遊技盤取付け構造の一部分解拡大斜視図である。
【図７】取付部へベース体及び遊技盤留め具の組み付け手順を示す断面説明図及び平面説明図である。
【図８】遊技盤留め具の退避位置と係止位置を示す正面透視図である。
【図９】他例に係る遊技盤留め具の係止位置の平面透視図及び矢印Ｅ−Ｅ断面図である。
【図１０】他例に係る遊技盤留め具の係止位置の平面透視図及び矢印Ｆ−Ｆ断面図である。
【図１１】遊技盤付勢手段の分解斜視図である。
【図１２】遊技盤組付け前後の状態を示す図３の矢印Ｂ−Ｂ方向水平断面図である。
【図１３】遊技盤組付け前後の状態を示す図３の矢印Ａ−Ａ方向水平断面図である。
【図１４】他例に係る取着部の内枠に対して組み付け前の斜視図及び内枠へ組み付け後の水平断面図である。
【符号の説明】
【００６７】
１  パチンコ機
２  外枠
３  内枠
３ａ  左縦枠
３ｂ  右縦枠
３ｃ  下横枠
３ｄ  上横枠
３ｅ  遊技盤受け部
３ｆ  係止フック
３ｇ  爪部
４  ヒンジ
５  前面枠
６  遊技盤
６ａ  前面
６ｂ  後面
６ｃ  レール部
７  球発射装置
８  球受け皿
９  発射ハンドル
１０  貯留タンク
１１  基準壁
１１ａ  基準面
１２  遊技盤止め具
１２ａ  留め部  
１２ｂ  回転軸  
１２ｃ  台座部
１２ｄ，１２ｅ  突条  
１３  プレート  
１３ａ  切欠き部  
１３ｂ，１３ｃ  位置決め部  
１３ｄ  延設部
１４  ベース体  
１４ａ  フック部  
１４ｂ  ベース面部  
１４ｃ，１５ｅ  スリット  
１４ｄ，１５ｆ  係止部  
１４ｅ，１５ｇ  突起部  
１５  取付部  
１５ａ  第１開口部  
１５ｂ  第２開口部  
１５ｃ  係止孔  
１５ｄ  支持部  
１５ｈ  軸受け部
１７  ストッパー部  
１８  挿入孔  
１９  可動体  
１９ａ，２０ｂ，２２ｂ  軸孔  
２０，２０Ａ  取着部  
２０ａ  後壁部  
２０ｃ，２２ｅ  止め輪  
２０ｄ  ケース体
２０ｅ  凹部  
２０ｆ  底部  
２０ｈ  側壁部  
２０ｉ  係止溝
２１  可動軸  
２２  可動体受け部  
２２ａ  起立部  
２２ｃ  回転軸  
２２ｄ  ストッパー  
２３  コイルばね  
２４  取着孔  
Ｐ  遊技盤付勢手段  
Ｈ  遊技盤保持部
【図１】
2010136813.tif 000003
【図２】
2010136813.tif 000004
【図３】
2010136813.tif 000005
【図４】
2010136813.tif 000006
【図５】
2010136813.tif 000007
【図６】
2010136813.tif 000008
【図７】
2010136813.tif 000009
【図８】
2010136813.tif 000010
【図９】
2010136813.tif 000011
【図１０】
2010136813.tif 000012
【図１１】
2010136813.tif 000013
【図１２】
2010136813.tif 000014
【図１３】
2010136813.tif 000015
【図１４】
2010136813.tif 000016